(57)【要約】【課題】鍋の置き換えが頻繁に行われる場合、鍋無し検出がかかってインバータ回路の出力が停止して調理ができないという問題があった。【解決手段】インバータ回路の出力電圧と出力電流との位相差を検出して位相差検出信号を出力する位相差検出回路と、位相差検出信号の値が位相差判別信号よりも大きいときに鍋が載置されていないと判別して鍋無検出信号を出力してインバータ駆動回路の駆動を止めて高周波電流の供給を停止する鍋検出回路とを具備し、誘導加熱コイル上に載置した鍋を電磁誘導作用で加熱する電磁誘導加熱調理器において、鍋無検出信号が鍋無検出判別時間値よりも長く出力されているときにはインバータ駆動回路の駆動を止め、鍋無検出信号が鍋無検出判別時間値より短いときにインバータ駆動回路を駆動させる時間対応鍋検出判別回路を鍋検出回路とインバータ駆動回路との間に具備した電磁誘導加熱調理器である。【選択図】    図１
2004288487.tif 000002
【特許請求の範囲】
【請求項１】
共振コンデンサと、前記共振コンデンサとで直列共振を形成する誘導加熱コイルと、商用交流電源を整流して直流電圧に変換する整流回路と、前記整流回路の直流電圧を入力として前記誘導加熱コイルに高周波電流を供給するインバータ回路と、前記インバータ回路の入力電力を演算して電力演算信号を出力する電力演算回路と、予め定めた電力設定信号を出力する電力設定回路と、前記電力演算信号と前記電力設定信号とを差動増幅する差動増幅回路と、前記差動増幅信号に応じて前記インバータ回路の出力周波数を制御するインバータ駆動回路と、前記インバータ回路の出力電圧と出力電流との位相差を検出して位相差検出信号を出力する位相差検出回路と、前記位相差検出信号の値が予め定めた位相差判別値よりも大きいときに鍋が載置されていないと判別して鍋無検出信号を出力して前記インバータ駆動回路の駆動を止めて前記高周波電流の供給を停止する鍋検出回路とを具備し、前記誘導加熱コイル上に載置した前記鍋を電磁誘導作用で加熱する電磁誘導加熱調理器において、前記鍋無検出信号が予め定めた鍋無検出判別時間値未満のときに前記鍋無検出信号の出力を禁止して前記インバータ駆動回路を駆動させ、前記鍋無検出信号が前記鍋無検出判別時間値以上のときは前記鍋無検出信号を出力して前記インバータ駆動回路の駆動を止める時間対応鍋検出判別回路を前記鍋検出回路と前記インバータ駆動回路との間に具備したことを特徴とする電磁誘導加熱調理器。
【請求項２】
請求項１記載の時間対応鍋検出判別回路が前記鍋無検出信号で出力時間が前記鍋無検出判別時間値未満のときに前記鍋無検出信号の出力を禁止して前記インバータ駆動回路を駆動させ、前記鍋無検出信号で出力時間が前記鍋無検出判別時間値以上のときに前記インバータ駆動回路を予め定めた周期で駆動と停止とを繰り返す間欠動作に入り、前記インバータ駆動回路が駆動しているときに再度鍋が載置されると前記鍋無検出信号の出力を停止し、前記鍋無検出信号の出力が停止すると前記インバータ駆動回路を間欠動作から連続動作にもどることを特徴とする電磁誘導加熱調理器。
【請求項３】
共振コンデンサと、前記共振コンデンサとで直列共振を形成する誘導加熱コイルと、商用交流電源を整流して直流電圧に変換する整流回路と、前記整流回路の直流電圧を入力として前記誘導加熱コイルに高周波電流を供給するインバータ回路と、前記インバータ回路の入力電力を演算して電力演算信号を出力する電力演算回路と、予め定めた電力設定信号を出力する電力設定回路と、前記電力演算信号と前記電力設定信号とを差動増幅する差動増幅回路と、前記差動増幅信号に応じて前記インバータ回路の出力周波数を制御するインバータ駆動回路と、前記インバータ回路の出力電圧と出力電流との位相差を検出して位相差検出信号を出力する位相差検出回路と、前記位相差検出信号の値が予め定めた位相差判別値よりも大きいときに鍋が載置されていないと判別して鍋無検出信号を出力して前記インバータ駆動回路の駆動を止めて前記高周波電流の供給を停止する鍋検出回路とを具備し、前記誘導加熱コイル上に載置した前記鍋を電磁誘導作用で加熱する電磁誘導加熱調理器において、前記鍋無検出信号が出力していないときに前記インバータ駆動回路を駆動させ、前記鍋無検出信号が出力しているときに前記インバータ駆動回路を予め定めた周期で駆動と停止とを繰り返す間欠動作に入り、前記インバータ駆動回路が駆動しているときに再度鍋が載置されると前記鍋無検出信号の出力を停止し、前記鍋無検出信号の出力が停止すると前記インバータ駆動回路を間欠動作から連続動作にもどるインバータ駆動制御回路を前記鍋検出回路と前記インバータ駆動回路の間に具備したことを特徴とする電磁誘導加熱調理器。
【発明の詳細な説明】
【０００１】
【発明の属する技術分野】
本発明は、インバータ回路を使用して誘導加熱コイルに高周波電流を供給し電磁誘導で調理鍋を加熱する電磁誘導加熱調理器に係り、特に、誘導加熱コイルの上面のトッププレートに載置される鍋の有無を判別する技術に関する。
【０００２】
【従来の技術】
図１１は、従来技術の電磁誘導加熱調理器の電気接続図である。図１１において、保温・煮物スイッチ２４を押すと、間欠運転信号が間欠運転制御装置（１２）に印加されて、この間、間欠運転制御装置（１２）から、インバータユニット（Ａ）を停止させるＯＦＦ信号が間欠的に出力される。すると、インバータユニット（Ａ）は、所定時間の停止動作と所定時間の運転動作とを繰り返すこととなり、鍋の底部が間欠的に発熱せしめられる。そして、上記インバータユニット（Ａ）の停止時においては、鍋の構成壁に蓄えられた熱が鍋内の食材全体に熱拡散されることとなるので、鍋の底部が高温状態に維持されることはない。
【０００３】
上記の保温・煮物運転では、インバータユニット（Ａ）を間欠動作（例えば、３秒ＯＮ、３秒ＯＦＦ）すると、インバータユニット（Ａ）のＯＦＦ期間は鍋無しを電気的に検出できないので、ＯＮ期間に鍋無しを検出する必要がある。上記より、例えば４秒以上鍋無し状態が継続した後に鍋無しと判断すると、ＯＮ期間３秒では鍋無しを検出できない。
（特許文献１参照）
【０００４】
【特許文献１】
特開平７−０９４２６８号公報
【０００５】
【発明が解決しようとする課題】
従来の電磁誘導加熱調理器では、トッププレート上に鍋等の載置を電気的に検出して鍋無しと判別した場合は、電力の浪費防止等の目的でインバータの出力を停止する処置を行っていた。しかし、鍋の置き換えが頻繁に行われる場合、鍋無し検出がかかってインバータ回路の出力が停止され調理ができないという問題があった。
【０００６】
【課題を解決するための手段】
請求項１の発明は、共振コンデンサＣ２及びＣ３と、上記共振コンデンサＣ２及びＣ３とで直列共振を形成する誘導加熱コイルＨＬと、商用交流電源を整流して直流電圧に変換する整流回路ＤＲ１と、上記整流回路ＤＲ１の直流電圧を入力として上記誘導加熱コイルＨＬに高周波電流を供給するインバータ回路と、上記インバータ回路の入力電力を演算して電力演算信号Ｓａを出力する電力演算回路ＳＡと、予め定めた電力設定信号Ｐｃを出力する電力設定回路ＰＣと、上記電力演算信号Ｓａと上記電力設定信号Ｐｃとを差動増幅する差動増幅回路ＣＯと、上記差動増幅信号ΔＩに応じて上記インバータ回路の出力周波数を制御するインバータ駆動回路ＳＤと、上記インバータ回路の出力電圧Ｃｖ２と出力電流Ｃｔ２との位相差を検出して位相差検出信号Ｐｄを出力する位相差検出回路ＰＤと、上記位相差検出信号Ｐｄの値が予め定めた位相差判別値Ｐｒよりも大きいときに鍋ＰＢが載置されていないと判別して鍋無検出信号Ｃｐを出力して上記インバータ駆動回路ＳＤの駆動を止めて上記高周波電流の供給を停止する鍋検出回路とを具備し、上記誘導加熱コイルＨＬ上に載置した上記鍋ＰＢを電磁誘導作用で加熱する電磁誘導加熱調理器において、上記鍋無検出信号Ｃｐが予め定めた鍋無検出判別時間値Ｔ１未満のときに上記鍋無検出信号Ｃｐの出力を禁止して上記インバータ駆動回路ＳＤを駆動させ、上記鍋無検出信号Ｃｐが上記鍋無検出判別時間値Ｔ１以上のときに上記鍋無検出信号Ｃｐを出力して上記インバータ駆動回路ＳＤの駆動を止める時間対応鍋検出判別回路ＴＷを上記鍋検出回路と上記インバータ駆動回路との間に具備したことを特徴とする電磁誘導加熱調理器である。
【０００７】
請求項２の発明は、請求項１記載の時間対応鍋検出判別回路ＴＷが上記鍋無検出信号Ｃｐで出力時間が上記鍋無検出判別時間値Ｔ１未満のときに上記鍋無検出信号Ｃｐの出力を禁止して上記インバータ駆動回路ＳＤを駆動させ、上記鍋無検出信号Ｃｐで出力時間が上記鍋無検出判別時間値Ｔ１以上のときに上記インバータ駆動回路ＳＤを予め定めた周期で駆動と停止とを繰り返す間欠動作に入り、上記インバータ駆動回路ＳＤが駆動しているときに再度鍋が載置されると上記鍋無検出信号Ｃｐの出力を停止し、上記鍋無検出信号Ｃｐの出力が停止すると上記インバータ駆動回路ＳＤを間欠動作から連続動作にもどることを特徴とする電磁誘導加熱調理器である。
【０００８】
請求項３の発明は、共振コンデンサＣ２及びＣ３と、上記共振コンデンサＣ２及びＣ３とで直列共振を形成する誘導加熱コイルＨＬと、商用交流電源を整流して直流電圧に変換する整流回路ＤＲ１と、上記整流回路ＤＲ１の直流電圧を入力として上記誘導加熱コイルＨＬに高周波電流を供給するインバータ回路と、上記インバータ回路の入力電力を演算して電力演算信号Ｓａを出力する電力演算回路ＳＡと、予め定めた電力設定信号Ｐｃを出力する電力設定回路ＰＣと、上記電力演算信号Ｓａと上記電力設定信号Ｐｃとを差動増幅する差動増幅回路ＣＯと、上記差動増幅信号ΔＩに応じて上記インバータ回路の出力周波数を制御するインバータ駆動回路ＳＤと、上記インバータ回路の出力電圧Ｃｖ２と出力電流Ｃｔ２との位相差を検出して位相差検出信号Ｐｄを出力する位相差検出回路ＰＤと、上記位相差検出信号Ｐｄの値が予め定めた位相差判別値Ｐｒよりも大きいときに鍋ＰＢが載置されていないと判別して鍋無検出信号Ｃｐを出力して上記インバータ駆動回路ＳＤの駆動を止めて上記高周波電流の供給を停止する鍋検出回路とを具備し、上記誘導加熱コイルＨＬ上に載置した上記鍋ＰＢを電磁誘導作用で加熱する電磁誘導加熱調理器において、上記鍋無検出信号Ｃｐが出力していないときに上記インバータ駆動回路ＳＤを駆動させ、上記鍋無検出信号Ｃｐが出力しているときに上記インバータ駆動回路ＳＤを予め定めた周期で駆動と停止とを繰り返す間欠動作に入り、上記インバータ駆動回路ＳＤが駆動しているときに再度鍋ＰＢが載置されると上記鍋無検出信号Ｃｐの出力を停止し、上記鍋無検出信号Ｃｐの出力が停止すると上記インバータ駆動回路ＳＤを間欠動作から連続動作にもどることを特徴とするインバータ駆動制御回路ＩＣを上記鍋検出回路と上記インバータ駆動回路の間に具備したことを特徴とする電磁誘導加熱調理器である。
【０００９】
【発明の実施の形態】
本発明の実施の形態について、図面を参照して説明する。図１は、本発明の電磁誘導加熱調理器の電気接続図である。
【００１０】
図１において、整流回路ＤＲ１は、商用交流電源の出力を整流して直流電圧に変換し、平滑コンデンサＣ１は、直流に変換した電圧を平滑する。
【００１１】
入力電流検出回路ＩＤは、入力電流値を検出して入力電流検出信号Ｉｄを出力し、入力電圧検出回路ＩＶは、入力電圧値を検出して入力電圧検出信号Ｉｖを出力する。
【００１２】
スイッチング素子ＴＲ１及びスイッチング素子ＴＲ２は、ハーフブリッジ形のインバータ回路を形成するスイッチング素子で、例えば、ＭＯＳＦＥＴ又はＩＧＢＴが使用されている。誘導加熱コイルＨＬは共振コンデンサＣ２及び共振コンデンサＣ３とで直列共振を形成する。鍋ＰＢは誘導加熱コイルＨＬの上に載置され電磁誘導により加熱をされる。
【００１３】
インバータ駆動回路ＳＤは、制御演算回路ＳＣからの制御処算信号Ｓｃの値に応じて、パルス幅の比率が一定でパルス周波数を変調するＰＦＭ制御をして、スイッチング素子ＴＲ１、スイッチング素子ＴＲ２を交互に駆動するスイッチング素子駆動信号Ｓｄ１及びスイッチング素子駆動信号Ｓｄ２を出力する。
【００１４】
電力演算回路ＳＡは、入力電流検出信号Ｉｄと入力電圧検出信号Ｉｖとを入力してインバータの入力電力を演算する。また、電力設定回路ＰＣは、予め定めた電力設定信号Ｐｃを設定する。
【００１５】
差動増幅回路ＣＯは、電力設定信号Ｐｃと電力演算信号Ｓａとを差動増幅して、差動増幅信号ΔＩの値を出力する。制御演算回路ＳＣは、加熱スイッチＴＳから加熱開始信号Ｔｓが入力されると動作を開始し、差動増幅信号ΔＩの値に応じて演算を行い、上記差動増幅信号ΔＩの値が大きいときに制御処理信号Ｓｃの値を小さくし、逆に上記差動増幅信号ΔＩの値が小さいときは上記制御処理信号Ｓｃの値を大きくする。更に、操作パネルＯＡによって入力される予め定めた位相差設定値及び予め定めたタイマ設定値を演算して、位相差判別信号Ｐｒ及びタイマ設定信号Ｔｒに変換して出力する。
【００１６】
インバータ駆動回路ＳＤは、制御演算回路ＳＣから入力される制御処理演算信号Ｓｃの値が小さいとき、ＰＦＭ制御の周波数を高くして誘導加熱コイルＨＬと共振コンデンサＣ２及びＣ３からなる共振タンクのインピーダンス値を大きくして誘導加熱コイルＨＬに流れる電流を小さくする。逆に上記制御演算信号Ｓｃの値が大きいときは、ＰＦＭ制御の周波数を低くして共振タンクのインピーダンス値を小さくして誘導加熱コイルＨＬに流れる電流を大きくすることによって、誘導加熱コイルＨＬに流れる電流制御をおこなう。また、上記インバータ駆動回路ＳＤは時間対応鍋検出制御回路ＴＷからの出力信号がＬｏｗレベルのときに動作を行ないＨｉｇｈレベルのときに停止する。
【００１７】
鍋検出回路は、位相差検出回路ＰＤと比較回路ＣＰとで形成され、上記比較回路ＣＰは位相差検出信号Ｐｄと位相差判別信号Ｐｒとを比較して、上記位相差検出信号Ｐｄが上記位相差判別信号Ｐｒより大きいときに鍋無しと判断して鍋無検出信号Ｃｐを出力する。
【００１８】
位相差検出回路ＰＤは、図２に示すパルス化回路ＰＫと位相差・電圧変換回路ＰＥとで形成され、パルス化回路ＰＫは、下記に示す図４（Ｂ）に示す出力電流検出信号Ｃｔ２の正の時間幅を図４（Ｃ）に示すパルス信号Ｐｋに変換する。出力電圧検出回路ＣＶ２は、図示省略のインバータ回路の交流出力電圧を半波整流して図４（Ａ）に示す出力電圧検出信号Ｃｖ２を出力する。位相差・電圧変換回路ＰＥは、上記パルス信号Ｐｋと上記出力電圧検出信号Ｃｖ２との位相差θを検出し、この位相差θを電圧に変換して位相差検出信号Ｐｄとして出力する。上記位相差θの値が大きいと出力電圧は高くなり、逆に位相差θの値が小さいと出力電圧は小さくなる。
【００１９】
時間対応鍋検出判別回路ＴＷは、図３に示すタイマ回路ＴＭ、反転回路ＩＮ及びアンド回路ＡＮＤによって形成され、上記タイマ回路ＴＭは、タイマ設定信号Ｔｒによって鍋無検出判別時間Ｔ１（例えば０．３秒〜５秒）を設定し、鍋無検出信号ＣｐがＨｉｇｈレベルになると上記鍋無検出判別時間Ｔ１のタイマ信号Ｔｍを出力する。上記反転回路ＩＮは、タイマ信号Ｔｍを反転して反転信号Ｉｎとして出力する。上記アンド回路ＡＮＤは、上記鍋無検出信号Ｃｐと上記反転信号ＩｎとのＡＮＤ論理を取って鍋無検出判別信号Ｔｗを出力する。
【００２０】
図４は、本発明の位相差検出回路の動作を説明する波形図である。同図において、図４（Ａ）は、出力電圧検出信号Ｃｖ２を示し、図４（Ｂ）は、鍋ＰＢが載置されているとき又は載置されていないときの出力電流検出信号Ｃｔ２を示し、図４（Ｃ）は、鍋ＰＢが載置されていないときのパルス信号Ｐｋを示し、図４（Ｄ）は、鍋ＰＢが載置されているときのパルス信号Ｐｋを示し、図４（Ｅ）は、鍋ＰＢが載置されているとき又は載置されていないときの位相差検出信号Ｐｄを示す。
【００２１】
図５は、本発明の時間対応鍋検出制御回路ＴＷの動作を説明する波形図である。同図において、図５（Ａ）は、鍋無検出信号Ｃｐを示し、図５（Ｂ）は、タイマ信号Ｔｍを示し、図５（Ｃ）は、タイマ信号Ｔｍを反転した反転信号Ｉｎを示し、図５（Ｄ）は、鍋無検出判別信号Ｔｗを示す。
【００２２】
本発明の動作について、図４及び図５に示す波形図を用いて説明する。まず、電力設定信号Ｐｃの値を予め定めた値に設定して、鍋無し状態で加熱していると、鍋検出回路は位相差・電圧変換回路ＰＥにより図４（Ａ）の出力電圧検出信号Ｃｖ２と図４（Ｃ）のパルス信号Ｐｋとの位相差θを検出する。このとき位相差θの値は大きくなり、この位相差θを電圧に変換して図４（Ｅ）に示す、位相差検出信号Ｐｄとして出力する。比較回路ＣＰは、上記位相差検出信号Ｐｄと上記位相差判別信号Ｐｒとを比較して上記位相差検出信号Ｐｄが上記位相差判別信号Ｐｒより大きくなり、鍋無しと判断して鍋無検出信号ＣｐをＨｉｇｈレベルにして時間対応鍋検出判別回路ＴＷに出力する。
【００２３】
図５（Ａ）に示す時刻ｔ＝ｔ１において、鍋検出回路は鍋無し状態と判別して鍋無検出信号ＣｐをＨｉｇｈレベルにして出力すると、図３に示す間対応鍋検出判別回路ＴＷのタイマ回路ＴＭは、上記鍋無検出信号ＣｐがＨｉｇｈレベルになると、図５（Ｂ）に示す予め定めた鍋無検出判別時間Ｔ１の期間中、タイマ信号ＴｍをＨｉｇｈレベルにして出力する。図３に示すアンド回路ＡＮＤは、図５（Ｃ）に示す反転信号ＩｎのＬｏｗレベルと上記鍋無検出信号ＣｐのＨｉｇｈレベルとのアンド論理をとり、図５（Ｄ）に示す鍋無検出判別信号ＴｗをＬｏｗレベルにして鍋無検出信号Ｃｐの出力を禁止し、インバータ駆動回路ＳＤを駆動させる。
【００２４】
時刻ｔ＝ｔ２において、トッププレートＰＬに鍋ＰＢが載置されると鍋検出回路は鍋有りと判別して、図５（Ａ）に示す鍋無検出信号ＣｐがＬｏｗレベルになる。図３に示すアンド回路ＡＮＤは、反転信号ＩｎのＬｏｗレベルと上記鍋無検出信号ＣｐのＬｏｗレベルとのアンド論理をとる。このとき、上記鍋無検出信号ＣｐのＨｉｇｈレベル時間が図５（Ｃ）に示す鍋無検出判別時間Ｔ１のＨｉｇｈレベル時間より短いために上記鍋無検出信号Ｃｐの出力を禁止して鍋無検出判別信号ＴｗをＬｏｗレベルにする。よって、鍋無し状態が上記鍋無検出判別時間Ｔ１よりも短いときにはインバータ駆動回路ＳＤを駆動させる。
【００２５】
時刻ｔ＝ｔ３において、図５（Ｂ）に示すタイマ信号Ｔｍは鍋無検出判別時間Ｔ１が経過してＬｏｗレベルになる。
【００２６】
図５（Ａ）に示す時刻ｔ＝ｔ４において、鍋ＰＢがトッププレートＰＬから再度離脱すると鍋検出回路は鍋無し状態と判別して鍋無検出信号ＣｐをＨｉｇｈレベルにする。タイマ回路ＴＭは、上記鍋無検出信号ＣｐがＨｉｇｈレベルになると図５（Ｂ）に示す鍋無検出判別時間Ｔ１の間、タイマ信号ＴｍをＨｉｇｈレベルにして出力する。アンド回路ＡＮＤは、図５（Ｂ）に示すタイマ信号Ｔｍの反転した反転信号ＩｎのＬｏｗレベルと上記鍋無検出信号ＣｐのＨｉｇｈレベルとのアンド論理をとり、図５（Ｄ）に示す鍋無検出判別信号ＴｗをＬｏｗレベルにして鍋無検出信号Ｃｐの出力を禁止し、インバータ駆動回路ＳＤを駆動させる。
【００２７】
時刻ｔ＝ｔ５において、図５（Ｂ）に示すタイマ信号Ｔｍは鍋無検出判別時間Ｔ１が経過してＬｏｗレベルになる。アンド回路ＡＮＤは、図５（Ｃ）に示す反転信号ＩｎのＨｉｇｈレベルと上記鍋無検出信号ＣｐのＨｉｇｈレベルとのアンド論理をとる。このとき、上記鍋無検出信号ＣｐのＨｉｇｈレベルの時間が上記鍋無検出判別時間Ｔ１のＨｉｇｈレベルの時間より長いために前記鍋無検出信号Ｃｐは出力されて鍋無検出判別信号ＴｗをＨｉｇｈレベルにしてインバータ駆動回路ＳＤの駆動を停止させる。
【００２８】
また、鍋無検出判別信号ＴｗがＨｉｇｈレベルの期間中、表示器ＬＥＤを点燈して鍋無し状態を表示する。
【００２９】
［実施例２］
図６は、実施例２の電磁誘導加熱調理器の電気接続図である。同図において、図１に示す本発明の電磁誘導加熱調理器の電気接続図と同一符号は、同一動作をおこなうので説明は省略して相違する動作について説明する。
【００３０】
図７は時間対応鍋検出制御回路に間欠動作を行うインバータ駆動制御回路ＩＣを追加した詳細接続図ＴＷＣである。上記インバータ駆動制御回路ＩＣは、鍋無検出判別信号ＴｗがＨｉｇｈレベルの期間中、予め定めた周期のパルス信号（例えば、Ｈｉｇｈレベル期間３秒、Ｌｏｗレベル期間０．３秒）を出力する発振回路であり、上記インバータ駆動回路ＳＤを駆動と停止とを繰り返す間欠動作をさせる。
【００３１】
図８は、実施例２の動作を説明する波形図である。同図において、図８（Ａ）は、鍋無検出信号Ｃｐを示し、図８（Ｂ）は、タイマ信号Ｔｍを示し、図８（Ｃ）は、タイマ信号Ｔｍを反転した反転信号Ｉｎを示し、図８（Ｄ）は、鍋無検出判別信号Ｔｗを示し、図７（Ｅ）は、インバータ駆動制御信号Ｉｃを示す。
【００３２】
図８に示す、時刻ｔ＝ｔ１〜ｔ３は上述と同一動作を行ない説明は省略する。
図８（Ａ）に示す時刻ｔ＝ｔ４において、鍋ＰＢがトッププレートＰＬから再度離脱すると鍋検出回路は鍋無し状態と判別して鍋無検出信号ＣｐをＨｉｇｈレベルにする。タイマ回路ＴＭは、上記鍋無検出信号ＣｐがＨｉｇｈレベルになると図８（Ｂ）に示す鍋無検出判別時間Ｔ１の期間中、タイマ信号ＴｍをＨｉｇｈレベルにして出力する。アンド回路ＡＮＤは、図８（Ｂ）に示すタイマ信号Ｔｍの反転した反転信号ＩｎのＬｏｗレベルと上記鍋無検出信号ＣｐのＨｉｇｈレベルとのアンド論理をとり、図８（Ｄ）に示す鍋無検出判別信号ＴｗをＬｏｗレベルにして鍋無検出信号Ｃｐの出力を禁止し、インバータ駆動回路ＳＤを駆動させる。
【００３３】
時刻ｔ＝ｔ５において、図８（Ｂ）に示すタイマ信号Ｔｍは鍋無検出判別時間Ｔ１が経過してＬｏｗレベルになる。アンド回路ＡＮＤは、図８（Ｃ）に示す反転信号ＩｎのＨｉｇｈレベルと上記鍋無検出信号ＣｐのＨｉｇｈレベルとのアンド論理をとる。このとき、上記鍋無検出信号ＣｐのＨｉｇｈレベル時間が上記鍋無検出判別時間Ｔ１のＨｉｇｈレベル時間よりも長いために前記鍋無検出信号Ｃｐは出力されて鍋無検出判別信号ＴｗをＨｉｇｈレベルにして、図７に示すインバータ駆動制御回路ＩＣに入力する。
【００３４】
インバータ駆動制御回路ＩＣは、鍋無検出判別信号ＴｗがＨｉｇｈレベルになると図８（Ｅ）に示す予め定めた周期のインバータ駆動制御信号（パルス信号）Ｉｃを出力してインバータ駆動回路ＳＤを駆動と停止とを繰り返す間欠動作させ、上記インバータ駆動制御信号ＩｃがＬｏｗレベルのときに上記インバータ駆動回路ＳＤは駆動する。
【００３５】
図８（Ａ）に示す時刻ｔ＝ｔ６において、インバータ駆動回路が駆動しているときに上記鍋検出回路が動作し、上記鍋検出回路の動作中に再度鍋ＰＢがトッププレートＰＬに載置されると、上記鍋検出回路が鍋有りと判別して鍋無検出信号Ｃｐの出力をＬｏｗレベルにする。上記鍋無検出信号ＣｐがＬｏｗレベルになるとインバータ駆動制御回路ＩＣはインバータ駆動制御信号Ｉｃの出力を停止し、インバータ駆動回路ＳＤは間欠動作から連続動作にもどる。
【００３６】
［実施例３］
図９は、実施例３の電磁誘導加熱調理器の電気接続図である。同図において、図１に示す本発明の電磁誘導加熱調理器の電気接続図と同一符号は、同一動作をおこなうので説明は省略して相違する動作について説明する。
【００３７】
実施例３の発明は、時間対応鍋検出制御回路ＴＷをインバータ駆動制御回路ＩＣに置換したものである。
【００３８】
図１０（Ａ）に示す時刻ｔ＝ｔ１において、鍋ＰＢがトッププレートＰＬから離脱すると鍋検出回路は鍋無し状態と判別して鍋無検出信号ＣｐをＨｉｇｈレベルにする。インバータ駆動制御回路ＩＣは、上記鍋無検出信号ＣｐがＨｉｇｈレベルになると図１０（Ｂ）に示す予め定めた周期のインバータ駆動制御信号（パルス信号）Ｉｃを出力して、インバータ駆動回路ＳＤを駆動と停止を繰り返す間欠動作させ、上記インバータ駆動制御信号ＩｃがＬｏｗレベルのときに上記インバータ駆動回路ＳＤを駆動させる。
【００３９】
図１０（Ａ）に示す時刻ｔ＝ｔ２において、インバータ駆動回路が駆動しているときに上記鍋検出回路が動作し、上記鍋検出回路の動作中に再度鍋ＰＢがトッププレートＰＬに載置されると鍋有りと判別して鍋無検出信号Ｃｐの出力をＬｏｗレベルにする。上記鍋無検出信号ＣｐがＬｏｗレベルになるとインバータ駆動制御回路ＩＣはインバータ駆動制御信号Ｉｃの出力を停止し、インバータ駆動回路ＳＤは間欠動作から連続動作にもどる。また、時刻ｔ＝ｔ４〜ｔ５は上記と同一動作を行なう。
【００４０】
【発明の効果】
本発明の電磁誘導加熱調理器では、鍋無検出判別時間をユーザの使用状況（鍋振りによる調理又は鍋の置き換えが頻繁に行われる調理）に対して最適な値を設定できるために、鍋無し検出がかからずインバータ回路の出力停止が無くなり調理に支障をきたすことがなくなる。
【図面の簡単な説明】
【図１】本発明の電磁誘導加熱調理器の電気接続図である。
【図２】図１に示す、位相差検出回路の詳細接続図である。
【図３】図１に示す、時間対応鍋検出制御回路の詳細接続図である。
【図４】図１に示す、位相差検出回路の動作を説明する波形図である。
【図５】図１に示す、時間対応鍋検出制御回路の動作を説明する波形図である。
【図６】実施例２の電磁誘導加熱調理器の電気接続図である。
【図７】時間対応鍋検出制御回路に間欠動作機能を追加した詳細接続図である。
【図８】図６に示す実施例２の動作を説明する波形図である。
【図９】実施例３の電磁誘導加熱調理器の電気接続図である。
【図１０】図９に示す実施例３の動作を説明する波形図である。
【図１１】従来技術の電磁誘導加熱調理器の電気接続図である。
【符号の説明】
ＣＯ            差動増幅回路
ＣＰ            比較回路
Ｃ１            平滑コンデンサ
Ｃ２            共振コンデンサ
Ｃ３            共振コンデンサ
ＣＴ２          出力電流検出回路
ＣＶ２          出力電圧検出回路
ＤＲ１          整流回路
ＨＬ            誘導加熱コイル
ＩＣ            インバータ駆動制御回路
ＩＤ            入力電流検出回路
ＩＮ            反転回路
ＩＶ            入力電圧検出回路
ＬＥＤ          表示器
ＯＡ            操作パネル
ＰＢ            鍋
ＰＣ            電力設定回路
ＰＤ            位相差検出回路
ＰＥ            位相差・電圧変換回路
ＰＫ            パルス化回路
ＰＬ            トッププレート
ＳＡ            電力演算回路
ＳＣ            制御演算回路
ＳＤ            インバータ駆動回路
ＴＭ            タイマ回路
ＴＳ            加熱スイッチ
ＴＷ            時間対応鍋検出判別回路
ＴＲ１          スイッチング素子
ＴＲ２          スイッチング素子
Ｃｐ            鍋無検出信号
Ｃｔ２          出力電流検出信号
Ｃｖ２          出力電圧検出信号
Ｉｃ            インバータ駆動制御信号
Ｉｄ            入力電流検出信号
Ｉｎ            反転信号
Ｉｖ            入力電圧検出信号
ΔＩ            差動増幅信号
Ｏａ            操作信号
Ｐｃ            電力設定信号
Ｐｄ            位相差検出信号
Ｐｋ            パルス信号
Ｐｒ            位相差判別信号
Ｓａ            電力演算信号
Ｓｃ            制御演算信号
Ｔｍ            タイマ信号
Ｔｒ            タイマ設定信号
Ｔｓ            加熱開始信号
Ｔｗ            鍋無検出判別信号
Ｔ１            鍋無検出判別時間
Ｓｄ１          スイッチング素子駆動信号
Ｓｄ２          スイッチング素子駆動信号
【図１】
2004288487.tif 000003
【図２】
2004288487.tif 000004
【図３】
2004288487.tif 000005
【図４】
2004288487.tif 000006
【図５】
2004288487.tif 000007
【図６】
2004288487.tif 000008
【図７】
2004288487.tif 000009
【図８】
2004288487.tif 000010
【図９】
2004288487.tif 000011
【図１０】
2004288487.tif 000012
【図１１】
2004288487.tif 000013